(57)【要約】【課題】記録用紙の進入が円滑で、かつ、排紙も良好にできる切欠部を備えた排紙ローラを提供する。【解決手段】フランジ部２１には回転方向上流側ｂに位置する長辺の蹴出部２２と、この蹴出部２２から回転方向下流側ｃに延出する短辺の案内部２３とを形成した非対称の切欠部２４を備え、蹴出部２２が回転方向上流側ｃに向かって、角度を持つことなくフランジ部２１の端部まで形成されている。【選択図】  図５
2008063097.tif 000002
【特許請求の範囲】
【請求項１】
用紙集積部に記録用紙を排出すべく回転駆動される駆動ローラと、前記駆動ローラに当接して従動回転するコロとを備え、前記コロの軸方向の寸法を前記駆動ローラの軸方向の寸法よりも大きくするとともに、前記コロの両方又は片方の軸方向端部にフランジ部を設けてなる用紙排出装置において、
前記フランジ部には回転方向上流側に位置する長辺の蹴出部と、この前記蹴出部から回転方向下流側に延出する短辺の案内部とを形成した非対称の切欠部を備え、
前記蹴出部が回転方向上流側に向かって、角度を持つことなく前記フランジ部の端部まで形成されていることを特徴とする用紙排出装置。
【請求項２】
前記蹴出部と前記案内部との交わる角度が９０°未満であることを特徴とする請求項１に記載の用紙排出装置。
【請求項３】
前記蹴出部と前記案内部との間が曲線部で形成されていることを特徴とする請求項１又は２に記載の用紙排出装置。
【発明の詳細な説明】
【技術分野】
【０００１】
本発明は、複写機、プリンタ、ファクシミリなどの画像形成装置において、用紙を排紙トレイ上などの用紙集積部に排出するための用紙排出装置に関する。
【背景技術】
【０００２】
ファクシミリ装置や複写機等の画像形成装置において原稿、記録用紙等を搬送するために用いられる用紙搬送装置は、図８に示すように駆動ローラ４０と対向コロ５８を回転させることにより排紙している。しかしながら、用紙搬送装置の給紙部では、積載された用紙を摩擦させながら分離しており、その後搬送中においても記録用紙は度々擦られるので帯電し易くなる。その結果、用紙集積部において記録用紙４３が帯電した静電気により駆動ローラ４０や対向コロ５８などに付着して剥離しにくくなり、確実に排紙できなくなるという問題点が発生している。このような問題を解決するために、対向コロ５８の一端又は両端に設けているフランジ部５１に切欠部５４を備えて記録用紙を蹴り出し、記録用紙４３の後端部をフランジ部５１上に残さないようにして、後から引き続き排紙される記録用紙４３の進行が妨げられるのを防止しているものがある。
【発明の開示】
【発明が解決しようとする課題】
【０００３】
しかしながらレーザプリンタの場合、像定着時に熱処理を行うことで、記録用紙４３が内側にカールしてしまうことがある。記録用紙４３がフランジ部５１に搬送される時、このようなカールした記録用紙４３の先端部が上述した円状の切欠部５４に入り込んでしまうと、排紙ローラの回転を止める方向（図８の矢印方向）に負荷がかかってしまい、紙詰まりしてしまう場合がある。
【課題を解決するための手段】
【０００４】
上記目的を達成するために、請求項１に記載の発明は、用紙集積部に記録用紙を排出すべく回転駆動される駆動ローラと、駆動ローラに当接して従動回転するコロとを備え、コロの軸方向の寸法を駆動ローラの軸方向の寸法よりも大きくするとともに、コロの両方又は片方の軸方向端部にフランジ部を設けてなる用紙排出装置において、フランジ部には回転方向上流側に位置する長辺の蹴出部と、この蹴出部から回転方向下流側に延出する短辺の案内部とを形成した非対称の切欠部を備え、蹴出部が回転方向上流側に向かって、角度を持つことなくフランジ部の端部まで形成されていることを特徴とするものである。
【０００５】
また、請求項２に記載の発明は、蹴出部と案内部との交わる角度が９０°未満であることを特徴とするものである。
【０００６】
また、請求項３に記載の発明は、蹴出部と案内部との間が曲線部で形成されていることを特徴とするものである。
【発明の効果】
【０００７】
請求項１の発明によれば、記録用紙がフランジ部に搬送されるときに長辺の蹴出部によって用紙進入方向にスムーズに搬送され、カール部分が原因で生じる用紙ジャムを防止することができる。また、記録用紙を排出するときには、蹴出部によって記録用紙の後端部が蹴り出される。これにより、記録用紙の後端部が切欠部に残ることがなく、後から引き続き排紙される記録用紙の進行が妨げられるのが防止される。
【０００８】
請求項２の発明によれば、蹴出部と案内部との間が９０°未満であることによって、記
録用紙排出のときに案内部が記録用紙後端部を保持できる。その後、フランジ部が回転することで蹴出部によって記録用紙後端部が蹴り出され、排紙が円滑になる。また、９０°未満にすることによってフランジ部をより円形状に近づけることが可能となる。これによって記録用紙をＳ字状に湾曲することができ、記録用紙の腰を強くし、記録用紙を良好に排出することが可能になる。
【０００９】
請求項３の発明によれば、蹴出部と案内部との間が曲線で形成されることによって、記録用紙が切欠部に入りこんだときに、記録用紙の先端部がくい込んでしまうことを防止できる。また、記録用紙を排紙するときには、記録用紙の後端部を案内部から蹴出部まで円滑に搬送することができる。
【発明を実施するための最良の形態】
【００１０】
本発明の実施の形態について詳細に説明する。図１は、画像形成装置に設けられた用紙排出装置１を示す概略図である。用紙搬送経路３１の途中には、加熱ローラ３２および加圧ローラ３３から成る定着器３４、フランジ部２１とコロ２８から成る排紙ローラ２０（図３参照）および駆動ローラ１０が設けられている。
【００１１】
現像剤像が転写された記録用紙３は定着器３４によって熱定着され、用紙搬送経路３１に沿って搬送され、駆動ローラ１０および排紙ローラ２０によって画像形成装置の上面に設けられた用紙排出装置１の用紙集積部２に排出される。
【００１２】
図２は駆動ローラ１０と排紙ローラ２０の様子を示しており、駆動ローラ１０A,１０B,１０C,１０Dに対応する排紙ローラ２０A,２０B,２０C,２０Dで構成している。駆動軸１２には４つの駆動ローラ１０A,１０B,１０C,１０Dを取り付けており、また、これらの駆動
ローラ１０A,１０B,１０C,１０Dにそれぞれ接触して回転するように、４つの排紙ローラ
２０A,２０B,２０C,２０Dを取り付けている。排紙ローラ２０は、それぞれフォルダ３６
に回転可能に支持されている。このフォルダ３６と用紙排出装置１との間にバネ部材３８が上下方向に沿って配置されることで、フォルダ３６が上下に付勢され、その付勢力により排紙ローラ２０が駆動ローラ１０に圧接している。また、排紙ローラ２０は駆動軸方向に一対ずつ２組並んでおり、一対の排紙ローラ２０はそれぞれコロ２８が向き合うようにして取り付けられている。
【００１３】
図３はフランジ部２１とコロ２８から成る排紙ローラ２０の側面図、図４は斜視図である。図３に示すようにフランジ部２１の切欠部２４以外の直径であるＡは、コロ２８の直径Ｂよりも大きくしている。これにより、駆動ローラ１０とコロ２８との間の用紙にＳ字状の湾曲を生じさせるようにしている。記録用紙３に湾曲を生じさせることで、記録用紙３の腰を強くし、記録用紙３を用紙集積部２に良好に排紙することを可能としている。
【００１４】
図５は排紙ローラ２０の正面図である。フランジ部２１は矢印ａ方向に回転し、ｂ方向を回転方向上流側、ｃ方向を回転方向下流側としている。フランジ部２１は切欠部２４を有し、切欠部２４は蹴出部２２および案内部２３、蹴出部２２と案内部２３の間に設けられた曲線部２５で構成されている。蹴出部２２は案内部２３よりも長辺であり、蹴出部２２の平面部分の直線Ｃと、案内部２３の平面部分の直線Ｄは、その間の角が９０°未満で構成されている。また、蹴出部２２と案内部２３は、直線Ｃと直線Ｄの間の鋭角を二分割した破線Ｅに対して左右非対称に設けられている。また、蹴出部２２の平面部分は、回転方向上流に向かってフランジ部２１の端部まで、そのまま真っ直ぐに延びている。
【００１５】
図６に示すように、排紙ローラ２０に搬送されてきた記録用紙３の先端部は、蹴出部２２の平面部分に当接し、フランジ部２１の回転に伴って矢印ｄ方向に導かれる。蹴出部２２は、案内部２３よりも平面が長く構成されているので、記録用紙３の先端部が蹴出部２
２に到達してから駆動ローラ１０と排紙ローラ２０の間に入り込むまで、カールした記録用紙３の先端部が回転中心部に向かうことを抑制することができる。このように記録用紙３の先端部をフランジ部２１の回転方向に導くことにより、用紙ジャムの防止が可能となる。
【００１６】
図７は記録用紙３を排出している様子を示している。記録用紙３を排出するときには、案内部２３によって記録用紙３の後端部が保持され、その後記録用紙３はフランジ部２１の回転に伴って二点鎖線で示す方向へ矢印eに沿って進み、蹴出部２２によって記録用紙
３の後端部が蹴り出される。これにより、排紙を良好にすることができる。
【００１７】
また、蹴出部２２と案内部２３との間は曲線で形成されている曲線部２５を設けている。蹴出部２２と案内部２３とが直角に交わる場合と比較して、記録用紙３が切欠部２４に搬送されてきたときに、記録用紙３の先端部がくい込んでしまうのを軽減することができる。
さらに、記録用紙３を排出するときにも、案内部２３から蹴出部２２へ円滑に搬送することが可能となる。
【００１８】
また、蹴出部と案内部との間を９０°未満にすることによって、フランジ部をより円形状に近づけることが可能となる。これによって記録用紙をＳ字状に湾曲することができ、記録用紙の腰を強くし、記録用紙を良好に排出することが可能になる。
【００１９】
また、コロ２８の外径は、曲線部２５とほぼ同じ位置にある。これにより、記録用紙３は蹴出部２２と案内部２３、及び曲線部２５に当接可能となり、記録用紙３の進入と排紙の両方を円滑にすることができる。
【００２０】
また、上記した実施形態においては、コロ２８の外径は、曲線部２５とほぼ同じ位置にあるが、本発明はこれに限定されるものではなく、たとえばコロ２８の直径がフランジ部２１の切欠部２４以外の直径よりも小さければ、同様の効果を得ることができる。
【図面の簡単な説明】
【００２１】
【図１】本発明の実施の形態を例示する用紙排出装置の側面図である。
【図２】用紙排出装置の要部正面図である。
【図３】排紙ローラの構成を表す側面図である。
【図４】排紙ローラの構成を表す斜視図である。
【図５】切欠部を有するフランジ部の正面図である
【図６】記録用紙が進入する様子を示した図である。
【図７】記録用紙を排出する様子を示した図である。
【図８】従来のフランジ部に記録用紙が進入する様子を示す図である。
【符号の説明】
【００２２】
１    用紙排出装置
２    用紙集積部
３    記録用紙
１０  駆動ローラ
２０  排紙ローラ
２１  フランジ部
２２  蹴出部
２３  案内部
２４  切欠部
２５  曲線部
２８  コロ
【図１】
2008063097.tif 000003
【図２】
2008063097.tif 000004
【図３】
2008063097.tif 000005
【図４】
2008063097.tif 000006
【図５】
2008063097.tif 000007
【図６】
2008063097.tif 000008
【図７】
2008063097.tif 000009
【図８】
2008063097.tif 000010